(57)【要約】【課題】ビニール傘など安価で画一的なデザインでありながら、消費者が購入後にも区別しやすい傘を提供し、同時に流通や販売時の取り扱い性にも考慮した商品陳列用組み合わせ体を提供すること。【解決手段】複数の傘１０〜１５から構成される傘の商品陳列用組み合わせ体１であって、少なくとも３本以上１２本以下を一組とする傘と、その一組又は複数の組の傘を一括して束ねる包装部材２０とを少なくとも備える。一組の傘のそれぞれのハンドルには、一組の中で互いに異なる色の識別色帯１０１を設け、その包装部材２０を解くことで複数の種類の識別色帯１０１を設けた傘１０〜１５を一度に陳列可能とすると共に、消費者がその識別色帯の色を選択できるようにする。【選択図】図１
2012231836.tif 000002
【特許請求の範囲】
【請求項１】
複数の傘から構成される傘の商品陳列用組み合わせ体であって、
少なくとも３本以上１２本以下を一組とする傘と、
該一組又は複数の組の傘を一括して束ねる包装部材と
を少なくとも備え、
該一組の傘のそれぞれのハンドルには、当該一組の中で互いに異なる色の識別色帯を設け、
該包装部材を解くことで複数の種類の識別色帯を設けた傘を一度に陳列可能とすると共に、消費者が該識別色帯の色を選択できるようにした
ことを特徴とする傘の商品陳列用組み合わせ体。
【請求項２】
前記一組の傘のそれぞれには、少なくとも傘の商品表示を行うと共に、
該識別色帯の位置表示を表示した個別包装部材を付設し、
それを付設した状態で、傘を一括して束ねたことを特徴とする
請求項１に記載の傘の商品陳列用組み合わせ体。
【請求項３】
前記個別包装部材が、
畳んだ傘布の全長の略半長以下の幅で、該傘布の周囲に巻回した紙製材料であって、
該巻回した１／２周以内の領域に、少なくとも１つの前記位置表示とを印刷した
請求項２に記載の傘の商品陳列用組み合わせ体。
【請求項４】
前記識別色帯に用いる色が、
紫、黄色、緑、紺、黒、灰色
から選択される
請求項１又は２に記載の傘の商品陳列用組み合わせ体。
【発明の詳細な説明】
【技術分野】
【０００１】
本発明は、傘の流通時や店頭販売時に取り扱いがしやすく、また商品として陳列されたときに消費者が選びやすい傘の商品陳列用組み合わせ体に係る。
【背景技術】
【０００２】
突然の降雨時などに、すぐに入手できて安価なビニール傘が大量に販売されている。コンビニエンスストアや駅売店では、降雨し始めると店頭の手にとりやすい場所に陳列され、消費者が立ち寄って購入できるようにする。
購入者は老若男女を問わず、一時的な利用を予定しているため、色や模様などのデザインを選ぶこともなく、供給側としても誰でも使用しやすい最もシンプルなデザインの傘を提供しているのが現状である。
【０００３】
ビニール傘の多くは、透明か乳白色の傘布に、メッキ加工された鉄の骨、白色の樹脂製のハンドルで構成され、実際にこのデザインが消費者に受け入れられやすい。
一方、このような画一的なデザインのため、傘立てに立てると各自の傘が判別しにくく、取り違えの原因となることはよく知られている。
【０００４】
柄の部分に青色のテープを巻いたビニール傘など、他社の製品と僅かにデザインを変えて、他の傘と区別しやすくした製品もあるが、例えば職場の近所の店舗で同じ製品を大量に販売すれば、結局区別できない問題が残る。また、特定の色を着色すると、性別や嗜好によって消費者が買いにくくなり、ビニール傘が誰にでも受け入れられるデザインにしていることと矛盾する。
【０００５】
似たようなデザインの傘を識別しやすい補助具は様々提案されており、例えば特許文献１〜４に示すような従来技術が開示されている。
【先行技術文献】
【特許文献】
【０００６】
【特許文献１】実開平３−１１３６１４号公報
【特許文献２】実用登録第３１３１９５７号
【特許文献３】特開２００４−３２１６４３号公報
【特許文献４】特開２００９−２９７４８１号公報
【発明の概要】
【発明が解決しようとする課題】
【０００７】
以上の背景技術によれば、ビニール傘などの低価格でシンプルなデザインの傘の商品を販売する際には、店頭で簡便に大量の商品陳列が行えると共に、消費者の誰もが選びやすいデザインの傘を提供することが求められる。
同時に、商品の購入後に他の傘と混同することなく、自己の傘を容易に識別しやすい傘を提供することとの両立が求められている。
【０００８】
本発明は、ビニール傘など安価で画一的なデザインでありながら、消費者が購入後にも識別しやすい傘を提供し、同時に流通や販売時の取り扱い性にも考慮した商品陳列用組み合わせ体を提供することを目的とする。
【課題を解決するための手段】
【０００９】
上記課題を解決するため、本発明は次のような傘の商品陳列用組み合わせ体を提供する。
複数の傘から構成される傘の商品陳列用組み合わせ体であって、少なくとも３本以上１２本以下を一組とする傘と、その一組又は複数の組の傘を一括して束ねる包装部材とを少なくとも備える。
一組の傘のそれぞれのハンドルには、一組の中で互いに異なる色の識別色帯を設け、その包装部材を解くことで複数の種類の識別色帯を設けた傘を一度に陳列可能とすると共に、消費者がその識別色帯の色を選択できるようにする。
【００１０】
上記の一組の傘のそれぞれには、少なくとも傘の商品表示を行うと共に、その識別色帯の位置表示を表示した個別包装部材を付設し、それを付設した状態で、傘を一括して束ねる構成でもよい。
【００１１】
上記の個別包装部材が、畳んだ傘布の全長の略半長以下の幅で、その傘布の周囲に巻回した紙製材料であって、その巻回した１／２周以内の領域に、少なくとも１つの上記の位置表示を印刷する構成でもよい。
【００１２】
上記の識別色帯に用いる色が、紫、黄色、緑、紺、黒、灰色から選択される構成でもよい。
【発明の効果】
【００１３】
上記構成により本発明は次の効果を奏する。
すなわち、各傘に互いに異なる色の識別色帯を設けることによって、傘自体のデザインがシンプルであっても、容易に識別することができるようになる。同時に、予め複数の色の識別色帯を備えた傘を一組とし、一組又は複数の組単位で一括して包装しておくことで、流通や小売店では従来の傘と全く同様に取り扱うことができ、単純に包装を解いて商品陳列を行えばよい。
【００１４】
また、識別色帯を備えるだけの極めて簡単な構成であるので、傘のコストアップは最小限に抑えることができ、本発明が対象とする傘への適用として特に好適である。
【００１５】
さらに、従来同様の傘がないために、識別色帯に気づきにくい消費者に対し、識別色帯の位置表示により色の選択を促すと共に、色が選べる点を消費者に対してアピールし、商品販売上の効果も奏することができる。
【００１６】
個別包装部材を傘布の全長の略半長以下の幅にすることで、傘同士の摩擦による傷を防止しながら、購入後すぐに個別包装部材を解いて使用することができる。また、解いた個別包装部材は簡単に処分ができ、紙製とすることでリサイクル性にも寄与する。
さらに、傘を畳んだ時の全周の１／２周以内の領域に位置表示を印刷することで、商品陳列時に、一方向から視認することができ、大量の陳列に好適である。
【００１７】
識別色帯の色は、ビニール傘などごくシンプルな傘に合致するように、紫や黄色など、性別と関連づけられにくい色が好ましい。一組の傘を商品陳列した際に、様々な色が在庫されている間は、消費者は自己の嗜好に合わせて選択することができると共に、色の選択の余地が無くなっても、誰でも抵抗なく使用できる色とする。
【図面の簡単な説明】
【００１８】
【図１】本発明に係る傘の商品陳列用組み合わせ体の外観図である。
【図２】本発明に係る傘１本の外観図である。
【図３】本発明に係る個別包装体の一例である。
【図４】本発明に係る傘を店頭に陳列した状態を示す図である。
【発明を実施するための形態】
【００１９】
以下、本発明の実施形態を、図面に示す実施例を基に説明する。なお、実施形態は下記に限定されるものではない。
図１は、本発明に係る傘の商品陳列用組み合わせ体の一例を示している。図２は、本組み合わせ体を構成する傘１本の外観図である。
【００２０】
本実施例では６本の傘（１０）〜（１５）を一束として包装部材であるビニール包装体（２０）で包装している。包装部材（２０）としては、ビニール以外の材料、例えば紙でもよいし、紐で束ねる構成でもよい。
【００２１】
６本の傘はハンドル（１００）部分に、それぞれ色の異なる６色のテープ（１０１）が巻回してあり、この色の異なる傘の集合を１つの組とする。識別色帯（１０１）は、本実施例のように色の付いたテープを巻く構成が簡便であるが、同様の外観を有するように塗料で塗色する構成でもよい。
【００２２】
識別色帯（１０１）は、図示のようにハンドルの湾曲部から直線状になった玉留側の部位（１００ａ）の他、湾曲部の最上部部分（１００ｂ）や、湾曲部の端部（１００ｃ）などに設けてもよい。
あるいは、商品陳列の態様に応じて、石突（１０３）の部分でもよい。
【００２３】
識別色帯の色としては、紫、黄色、緑、紺、黒、灰色から選択される構成が好ましい。これらの色は、性別や年齢による嗜好が比較的均一化しており、商品陳列時に万遍なく選択されやすい。どれか１色が残った場合でも、強い忌避性のある色ではないので、抵抗なく商品を選択される長所もある。
【００２４】
色の種類としては、識別性を備えるためと、消費者の選択性を確保するために、最低でも３種類以上が必要である。また、色同士の識別がしにくくなる点や、種類が増えすぎて製造効率が悪くなる点から、色の種類としては１２色を上限とする。より好ましくは４色ないし６色の範囲が好適である。
【００２５】
識別色帯（１０１）は、本実施例のように単色に限らず、色によって識別可能であれば模様が付されていてもよく、例えば子供向けの傘において、アニメキャラクターや特撮ドラマのキャラクターなどで色合いの異なるキャラクターをそれぞれに付す構成でもよい。
【００２６】
本発明が対象とする傘は、一般にビニール傘と呼ばれる安価でシンプルなデザインの洋傘を中心とし、その多くが白色又は乳白色のビニール製の傘布と、白色のハンドルを有している。もちろん、このデザイン以外の傘に本発明を適用しても良いが、少なくとも画一的なデザインで同時に多数が店頭に陳列される傘を対象としている。
このような傘では価格を抑える、すなわち製造コストを上昇させないことと、消費者にえり好みされないこと、すなわちオーソドックスなデザインを守ることが求められる。
本発明は上記のような要求に照らして、傘を過度に個性的なデザインとすることなく、安価で、実用的な構成を創出したものである。
【００２７】
一組に含まれる傘は、すべて異なる色の識別色帯を備えている。従来からビニール傘のような大量販売を目的とする傘は、すべて５本、６本、１２本といった単位で一括して包装され、流通している。本発明はこのような特徴に着目し、この流通単位ごとに同じ色とするのではなく、最初から複数の色の傘を一括して流通させることで、店頭での陳列時に自然に色がばらけるように構成した。
【００２８】
小売業者は仕入れた傘の組み合わせ体の包装を解いて、陳列棚に並べるだけで、複数の識別色帯を備えた傘を陳列することができる。従って、色を意識することなく、従来と全く同じ作業性により取引、販売することができる。
【００２９】
包装部材（２０）で包装する単位としては、傘の色数と同じ１組でもよいが、例えば６色１組の場合、これを２組の１２本で一括して包装してもよい。この場合、同じ色の傘が１つの商品陳列用組み合わせ体に２本含まれることになるが、本構成でも十分に傘の識別性は維持できるので、支障はない。
【００３０】
各傘には、図２に明らかなように傘布の周囲を巻回する個別包装紙（１０４）を付設している。図３は、個別包装紙（１０４）の一例を展開した図である。
個別包装紙（１０４）上には、商品の名称（１０５ａ）や価格（１０５ｂ）、バーコード（１０５ｃ）の他、品質表示などを含む商品表示（１０５）と、識別色帯（１０１）の位置を表示する位置表示（１０６）を印刷している。
【００３１】
位置表示（１０６）は、本発明の特徴である識別色帯（１０１）の位置を示す矢印（１０６ａ）と、選択できる色の種類（１０６ｂ）を表示し、消費者が購入時に色を意識するように促している。すなわち、この識別色帯（１０１）の存在に気がつかないと、消費者が傘を識別できるという機能を果たせないことから、販売時の本表示は重要である。
また、選択できる色を示すことで、嗜好にあった色を選択できるという商品の魅力をアピールすることにも寄与する。
【００３２】
このような表示に限らず、近年では製品の取り扱い上の注意や、商品管理やレジ会計時の処理に必要なバーコードなど、傘本体以外にある程度の面積を要する表示事項が増えている。
一方で、本発明が対象とする傘は、購入直後に使用するために、小売店や消費者がすぐに包装を解き、包装は簡単に処分できなければならない。
【００３３】
そこで、個別包装紙（１０４）を紙製とし、すぐに巻回部分を剥がし、又は破いて包装を解ける構成にした。個別包装紙（１０４）の長さ（傘の全長方向の長さ）は、傘布の長さの略１／２以下とし、傘布のハンドル側の部位に巻回した。
この部位は、傘布の面積が広く、最も外周が大きくなる部分のため、ここに個別包装紙（１０４）で包装した上で、図１のように全体を包装することで、傘布が摩擦によって傷つくことを防止できる。
【００３４】
さらに、図３に示すように各表示は縦長に配置し、巻回時に半周を超えない範囲に収めている。これは陳列した状態で、必要な表示がすべて見えるようにするためであり、整然と配列しておけば、傘を手に取ることなく、内容を外側から視認できる。
なお、各方向から見やすくするために、例えば１／３周に収まる表示を横に３列並べてもよい。
【００３５】
図４は、店頭に傘を陳列した状態を示す。店頭では包装部材（２０）から傘（１０）〜（１５）を取り出して、ラック（３０）にハンドル部分を懸架して陳列することが一般的である。
本発明によれば、視認しやすいハンドルの近くに識別色帯（１０１）が配列するので、消費者が選択しやすい。個別包装紙（１０４）も図示のように方向を揃えることで、機能性と共に、商品陳列時の美観も向上させることができる。
【符号の説明】
【００３６】
１  傘の商品陳列用組み合わせ体
１０〜１５  傘
２０  包装部材
１０１  識別色帯
【図１】
2012231836.tif 000003
【図２】
2012231836.tif 000004
【図３】
2012231836.tif 000005
【図４】
2012231836.tif 000006